(57)【要約】【課題】天吊金具あるいは盗難防止金具が外された場合に、暗証番号による認証を行うプロジェクターおよびその制御方法を提供する。【解決手段】本発明に係るプロジェクター１は、天吊金具２もしくは盗難防止金具３の少なくとも一方が接続されるプロジェクターであって、前記天吊金具２もしくは前記盗難防止金具３の少なくとも一方の接続が当該プロジェクターから外されたことを検出する検出部１２と、前記プロジェクター１内各部の制御を行う制御部１６と、映像を投写して表示する映像投写部２０とを備え、前記制御部１６は、前記天吊金具２もしくは前記盗難防止金具３の少なくとも一方の接続が前記プロジェクター１から外されたことを前記検出部１２が検出した場合に、前記プロジェクター１の稼働用暗証番号の認証画面を前記映像投写部２０に表示させる。【選択図】図２
2012114616.tif 000002
【特許請求の範囲】
【請求項１】
天吊金具もしくは盗難防止金具の少なくとも一方が接続されるプロジェクターであって、
前記天吊金具もしくは前記盗難防止金具の少なくとも一方の接続が当該プロジェクターから外されたことを検出する検出部と、
前記プロジェクター内各部の制御を行う制御部と、
映像を投写して表示する映像投写部と、を備え、
前記制御部は、前記天吊金具もしくは前記盗難防止金具の少なくとも一方の接続が前記プロジェクターから外されたことを前記検出部が検出した場合に、前記プロジェクターの稼働用暗証番号の認証画面を前記映像投写部に表示させること
を特徴とするプロジェクター。
【請求項２】
あらかじめ設定された稼働用暗証番号を記憶する記憶部と、暗証番号を入力させる入力部と、をさらに備え、
前記制御部は、あらかじめ設定されて前記記憶部に記憶されている前記稼働用暗証番号と、前記入力部によって入力された前記暗証番号とを比較して、二つの番号が一致した場合に、前記映像投写部による前記稼働用暗証番号の認証画面の表示を停止させること
を特徴とする請求項１記載のプロジェクター。
【請求項３】
あらかじめ設定された稼働用暗証番号を記憶する記憶部と、暗証番号を入力させる入力部と、をさらに備え、
前記制御部は、あらかじめ設定されて前記記憶部に記憶されている前記稼働用暗証番号と、前記入力部によって入力された前記暗証番号とを比較して、二つの番号が一致しなかった場合に、前記プロジェクターの動作を終了させること
を特徴とする請求項１記載のプロジェクター。
【請求項４】
前記制御部は、前記二つの番号が一致しなかったことによって動作が終了した前記プロジェクターを再起動する場合に、前記映像投写部に前記稼働用暗証番号の認証画面を表示させること
を特徴とする請求項３記載のプロジェクター。
【請求項５】
天吊金具もしくは盗難防止金具の少なくとも一方が接続されるプロジェクターの制御方法であって、
（ａ）前記天吊金具もしくは前記盗難防止金具の少なくとも一方の接続が当該プロジェクターから外されたことを検出するステップと、
（ｂ）前記接続が前記プロジェクターから外されたことを検出した場合に、前記プロジェクターの稼働用暗証番号の認証画面を表示するステップと、
を備えることを特徴とするプロジェクターの制御方法。
【請求項６】
前記ステップ（ｂ）の後に、
（ｃ）あらかじめ設定されて前記記憶部に記憶されている前記稼働用暗証番号と、前記入力部によって入力された暗証番号とを比較して、二つの番号が一致した場合に、前記稼働用暗証番号の認証画面の表示を停止するステップ
を備えることを特徴とする請求項５記載のプロジェクターの制御方法。
【請求項７】
前記ステップ（ｂ）の後に、
（ｄ）あらかじめ設定されて前記記憶部に記憶されている前記稼働用暗証番号と、前記入力部によって入力された用暗証番号とを比較して、二つの番号が一致しなかった場合に、前記プロジェクターの動作を停止するステップ
を備えることを特徴とする請求項５記載のプロジェクターの制御方法。
【請求項８】
前記ステップ（ｄ）の後に、
（ｅ）前記プロジェクターを再起動する場合に、前記稼働用暗証番号の認証画面を表示するステップ
を備えることを特徴とする請求項７記載のプロジェクターの制御方法。
【発明の詳細な説明】
【技術分野】
【０００１】
本発明は、プロジェクターおよびプロジェクターの制御方法に関し、天吊金具もしくは盗難防止金具の少なくとも一方が接続されるプロジェクターおよびその制御方法に関する。
【背景技術】
【０００２】
近年、プロジェクターやモニター等では盗難防止のため、使用時に暗証番号を入力して認証を行うようになっている。しかし、プロジェクター等を起動する度に暗証番号を入力することは操作として面倒であり、また、リモートコントローラー（以下、「リモコン」という）を使わなければ暗証番号を入力することができない等といった煩わしさもあった。
【０００３】
ここで、特許文献１に、起動時に登録された設置状態から変化が生じた場合に、暗証番号を入力させて認証を求めるプロジェクターが提案されている。
【先行技術文献】
【特許文献】
【０００４】
【特許文献１】特開２００６−３０８８２６号公報
【発明の概要】
【発明が解決しようとする課題】
【０００５】
特許文献１に記載のプロジェクターでは、例えば、プロジェクターを天吊状態から取り外したとき等のように、設置状態が変化した場合には認証を行うため盗難防止の効果が得られる。しかし、持ち出したプロジェクターを元の設置状態と同じ設置条件で使用する場合には、設置状態が変化しないため認証を行わないという課題が生じ得る。
【０００６】
本発明は上記事情に鑑みてなされたものであり、天吊金具あるいは盗難防止金具が外された場合に、暗証番号による認証を行うプロジェクターおよびその制御方法を提供することを目的とする。
【課題を解決するための手段】
【０００７】
一実施形態として、以下に開示するような解決手段により、前記課題を解決する。
【０００８】
開示のプロジェクターは、天吊金具もしくは盗難防止金具の少なくとも一方が接続されるプロジェクターであって、前記天吊金具もしくは前記盗難防止金具の少なくとも一方の接続が当該プロジェクターから外されたことを検出する検出部と、前記プロジェクター内各部の制御を行う制御部と、映像を投写して表示する映像投写部と、を備え、前記制御部は、前記天吊金具もしくは前記盗難防止金具の少なくとも一方の接続が前記プロジェクターから外されたことを前記検出部が検出した場合に、前記プロジェクターの稼働用暗証番号の認証画面を前記映像投写部に表示させることを特徴とする。これによれば、プロジェクターから天吊金具あるいは盗難防止金具が外された場合に、暗証番号による認証を行うことができる。
【０００９】
また、あらかじめ設定された稼働用暗証番号を記憶する記憶部と、暗証番号を入力させる入力部と、をさらに備え、前記制御部は、あらかじめ設定されて前記記憶部に記憶されている前記稼働用暗証番号と、前記入力部によって入力された前記暗証番号とを比較して、二つの番号が一致した場合に、前記映像投写部による前記稼働用暗証番号の認証画面の表示を停止させることを特徴とする。これによれば、暗証番号による認証が成功した場合に、認証画面の出力を停止して、通常の使用状態となる外部接続機器からの映像画面を出力することができる。
【００１０】
また、あらかじめ設定された稼働用暗証番号を記憶する記憶部と、暗証番号を入力させる入力部と、をさらに備え、前記制御部は、あらかじめ設定されて前記記憶部に記憶されている前記稼働用暗証番号と、前記入力部によって入力された前記暗証番号とを比較して、二つの番号が一致しなかった場合に、前記プロジェクターの動作を終了させることを特徴とする。これによれば、暗証番号による認証が失敗した場合に、プロジェクターの動作を終了させて、プロジェクターを使用できない状態とすることができる。
【００１１】
また、前記制御部は、前記二つの番号が一致しなかったことによって動作が終了した前記プロジェクターを再起動する場合に、前記映像投写部に前記稼働用暗証番号の認証画面を表示させることを特徴とする。これによれば、暗証番号による認証が失敗して、プロジェクターの動作が終了した場合、再起動時に再び暗証番号による認証を行うことができる。
【００１２】
開示のプロジェクターの制御方法は、天吊金具もしくは盗難防止金具の少なくとも一方が接続されるプロジェクターの制御方法であって、（ａ）前記天吊金具もしくは前記盗難防止金具の少なくとも一方の接続が当該プロジェクターから外されたことを検出するステップと、（ｂ）前記接続が前記プロジェクターから外されたことを検出した場合に、前記プロジェクターの稼働用暗証番号の認証画面を表示するステップと、を備えることを特徴とする。これによれば、プロジェクターから天吊金具あるいは盗難防止金具が外された場合に、暗証番号による認証を行うことができる。
【００１３】
また、前記ステップ（ｂ）の後に、（ｃ）あらかじめ設定されて前記記憶部に記憶されている前記稼働用暗証番号と、前記入力部によって入力された暗証番号とを比較して、二つの番号が一致した場合に、前記稼働用暗証番号の認証画面の表示を停止するステップを備えることを特徴とする。これによれば、暗証番号による認証が成功した場合に、認証画面の出力を停止して、通常の使用状態となる外部接続機器からの映像画面を出力することができる。
【００１４】
また、前記ステップ（ｂ）の後に、（ｄ）あらかじめ設定されて前記記憶部に記憶されている前記稼働用暗証番号と、前記入力部によって入力された用暗証番号とを比較して、二つの番号が一致しなかった場合に、前記プロジェクターの動作を停止するステップを備えることを特徴とする。これによれば、暗証番号による認証が失敗した場合に、プロジェクターの動作を終了させて、プロジェクターを使用できない状態とすることができる。
【００１５】
また、前記ステップ（ｄ）の後に、（ｅ）前記プロジェクターを再起動する場合に、前記稼働用暗証番号の認証画面を表示するステップを備えることを特徴とする。これによれば、暗証番号による認証が失敗して、プロジェクターの動作が終了した場合、再起動時に再び暗証番号による認証を行うことができる。
【図面の簡単な説明】
【００１６】
【図１】本発明の実施形態に係るプロジェクターの設置構造の例を説明するための概略図である。
【図２】本発明の実施形態に係るプロジェクターの構成の例を説明するためのブロック図である。
【図３】本発明の実施形態に係るプロジェクターの制御方法の例を説明するためのフローチャートである。
【図４】本発明の実施形態に係るプロジェクターにおける認証画面の例を示す概略図である。
【発明を実施するための形態】
【００１７】
本発明の実施形態に係るプロジェクター１について、図面を用いて詳細に説明する。なお、実施形態を説明するための全図において、同一の機能を有する部材には同一の符号を付し、その繰り返しの説明は省略する場合がある。
【００１８】
本実施形態に係るプロジェクター１は、天吊金具もしくは盗難防止金具の少なくとも一方が接続される構造を備えている。一例として、図１に示すように、プロジェクター１は、天吊金具２を用いて室内空間の上部から吊り下げられて支持される。当然ながら、プロジェクター１を机上に設置する場合には、天吊金具２は用いられない。
【００１９】
また、同図１は、プロジェクター１が、盗難防止金具３を用いて室内の内壁、他の機器等と接続される構成を例示している。これによって、プロジェクター１の盗難防止が図られる。もちろん、プロジェクター１に対して盗難防止金具３を必ず接続しなければならない訳ではない。
【００２０】
なお、天吊金具２、および盗難防止金具３は、いずれも公知の構成を用いることができるため、詳細な説明を省略する。
【００２１】
続いて、プロジェクター１の構成の例について、図２のブロック図を用いて説明する。プロジェクター１に設けられた各構成は、同図２に示すように本体ケース１０内に収納され、ＡＣ電源（不図示）に接続された電源部３０から制御部１６を介して必要な電力が供給されると共に、当該制御部１６によって制御が行われる。当該各構成については、本実施形態に特徴的な構成を中心に説明を行う。なお、公知の構成については、図面等に構成の名称のみを記載して、詳細な説明を省略する場合がある。
【００２２】
符号１２は、プロジェクター１に設けられた検出部である。この検出部１２は、天吊金具２もしくは盗難防止金具３の少なくとも一方の接続がプロジェクター１から外された場合に、該接続が外されたことの検出を行うものである。例えば、検出部１２として、接続が外されたときにオン（もしくはオフ）となる公知の機械式スイッチを好適に用いることができるが、これに限定されるものではない。
【００２３】
符号１４は、プロジェクター１に設けられたサブＣＰＵである。サブＣＰＵ１４は、電池１５を電源として常時稼働しており、検出部１２における検出すなわち天吊金具２もしくは盗難防止金具３の少なくとも一方の接続がプロジェクター１から外されたことの検出を常時監視するものである。
【００２４】
符号１８は、プロジェクター１に設けられた映像出力部である。映像出力部１８は、制御部１６からの指令信号を受けて映像信号を出力するものである。本実施形態においては、図２に示すように、制御部１６からの指令信号は、映像処理部２４に入力され処理された後、映像出力部１８へと出力される。なお、外部スクリーン（不図示）等への映像投写は映像投写部２０によって行われる。
【００２５】
ここで、外部接続機器（例えば、パーソナルコンピューター、ビデオ等）４から入力される映像信号は、入力選択部２２を経て映像処理部２４に入力され処理されるが、公知の構成を用いることができるため、詳細な説明は省略する。
【００２６】
また、本実施形態に係るプロジェクター１は、あらかじめ設定されているプロジェクター稼働用暗証番号を記憶しておく記憶部２６と、操作者に暗証番号を入力させる入力部２８（一例として、リモコン２８Ａ、もしくは本体キー２８Ｂ）とを備えている。これにより、暗証番号の認証を行って、認証が成功したときのみ所定の通常使用を可能とする使用方法が実現できる。なお、上記暗証番号の入力、あるいはその他の操作入力を行う際に、リモコン２８Ａから入力を行う場合には、入力信号はリモコン受光部２９を介してキー入力処理部２７に送信されて処理される。一方、本体キー２８Ｂから入力を行う場合には、入力信号は直接、キー入力処理部２７に送信されて処理される。
【００２７】
続いて、プロジェクター１の制御方法を中心とする動作フローについて、図３のフローチャートを用いて説明する。
【００２８】
先ず、サブＣＰＵ１４の動作フローについて説明する。
図３（ａ）に示すように、サブＣＰＵ１４は、電池１５を電源として検出部１２を常時監視しており、天吊金具２もしくは盗難防止金具３の少なくとも一方の接続がプロジェクター１から外されたか否かの検出を行う（ステップ１１：Ｓ１１）。
【００２９】
次に、サブＣＰＵ１４は、天吊金具２もしくは盗難防止金具３の少なくとも一方の接続がプロジェクター１から外された場合に、検出フラグをオンにする（Ｓ１２）。
【００３０】
次に、サブＣＰＵ１４は、プロジェクター１が動作中であるか否かの判定を行う（Ｓ１３）。
ここで、プロジェクター１が動作中である場合には、検出フラグがオンであることの検出通知を、制御部１６に対して出力する（Ｓ１４）。一方、プロジェクター１が動作中でない場合には、検出通知の出力は行わない。
【００３１】
次に、プロジェクター１の動作フローについて説明する。
図３（ｂ）に示すように、リモコン２８Ａ、もしくは本体キー２８Ｂが操作されることによって、プロジェクター１の電源がオンにされる（ステップ２１：Ｓ２１）。
【００３２】
次に、制御部１６は、起動後にサブＣＰＵ１４の検出フラグの取得を行う（Ｓ２２）。このとき、制御部１６は、検出フラグがオンであるかオフであるかの判定を行う（Ｓ２３）。
【００３３】
ステップ２３（Ｓ２３）を実行した結果、検出フラグがオフの場合には、通常の使用が可能な状態となり、外部接続機器４から入力される映像信号に基づく投写が行われる（Ｓ３０）。
【００３４】
一方、ステップ２３（Ｓ２３）を実行した結果、検出フラグがオンの場合には、制御部１６は、映像出力部１８からプロジェクター１を通常の使用状態として稼働させるための暗証番号を入力させる認証画面（入力画面）の映像信号を出力させるように、当該映像出力部１８へ指令信号を出力する。これによって、当該稼働用暗証番号の認証画面（入力画面）が映像投写部２０から外部スクリーン（不図示）等へ投写される（Ｓ２６）。当該認証画面（入力画面）の表示例を図４に示す。
【００３５】
ここまでは、プロジェクター１の電源がオンになる前に、天吊金具２もしくは盗難防止金具３の少なくとも一方の接続がプロジェクター１から既に外されていた場合のフローである。これに対して、プロジェクター１の電源がオンになった後に、天吊金具２もしくは盗難防止金具３の少なくとも一方の接続がプロジェクター１から外された場合のフローとして、ステップ２４（Ｓ２４）により、サブＣＰＵ１４から検出フラグがオンとなった検出通知が制御部１６へ出力されて、前記ステップ２６（Ｓ２６）が実行されることとなる。これ以降のステップはいずれの場合も共通である。
【００３６】
なお、本実施形態における動作フローのように、ステップ２３（Ｓ２３）とステップ２６（Ｓ２６）との間に、検出時の認証設定を行うステップ（Ｓ２５）を設けてもよい。
【００３７】
ステップ２６（Ｓ２６）に次いで、制御部１６は、あらかじめ設定されて記憶部２６に記憶されている稼働用暗証番号と、入力部２８によって入力された暗証番号とを比較する（Ｓ２７）。
【００３８】
ステップ２７（Ｓ２７）を実行して暗証番号を比較した結果、二つの番号が一致した場合に、制御部１６は、映像出力部１８から稼働用暗証番号の認証画面の映像信号を出力させる指令信号の出力を停止させて、当該稼働用暗証番号の認証画面（入力画面）の投写を停止させる。ここで、二つの番号とは、あらかじめ設定されて記憶部２６に記憶されている稼働用暗証番号、および入力部２８によって入力された暗証番号である。これによって、プロジェクター１は、通常の使用が可能な状態、すなわち、外部接続機器（例えば、パソコン、ビデオ等）４から入力される映像信号に基づく投写が行われる状態に移行する（Ｓ３０）。
【００３９】
これと併せて、制御部１６は、サブＣＰＵ１４に対してオンとなっていた検出フラグをオフとさせる指令信号を出力する（Ｓ２９）。なお、本実施形態における動作フローのように、ステップ２７（Ｓ２７）とステップ２９（Ｓ２９）との間に、検出設定画面を表示させて再設定を行うステップ（Ｓ２８）を設けてもよい。
【００４０】
一方、ステップ２７（Ｓ２７）を実行して暗証番号を比較した結果、二つの番号が一致しなかった場合に、制御部１６は、プロジェクター１の動作を終了させる（Ｓ３１）。これは、一例として、制御部１６から電源部３０へ電源をオフにする指令信号を出力することによって実行する。これによって、プロジェクター１は、使用が不能な状態（通常の投写が行われない状態）となる。すなわち、当該作用によって、盗難防止効果が奏されることとなる。
【００４１】
なお、ステップ３１（Ｓ３１）によりプロジェクター１の動作が終了した場合において、プロジェクター１を再起動する場合には、ステップ２６と同様のステップを実行する。すなわち、制御部１６は、映像出力部１８からプロジェクター１を通常の使用状態として稼働させるための暗証番号を入力させる認証画面（入力画面）の映像信号を出力させるように、当該映像出力部１８へ指令信号を出力する。これによって、当該稼働用暗証番号の認証画面（入力画面）が映像投写部２０から外部スクリーン（不図示）等へ投写される。その後の動作フローは前記ステップ２７以降と同様であり、説明を省略する。
【００４２】
以上、本発明を実施形態に基づき具体的に説明したが、本発明は前記実施形態に限定されるものではなく、その要旨を逸脱しない範囲で種々変更可能であることはいうまでもない。
【符号の説明】
【００４３】
１  プロジェクター、２  天吊金具、３  盗難防止金具、４  外部接続機器、１０  本体ケース、１２  検出部、１４  サブＣＰＵ、１６  制御部、１８  映像出力部、２０  映像投写部、２２  入力選択部、２４  映像処理部、２６  記憶部、２７  キー入力処理部、２８  入力部、２９  リモコン受光部、３０  電源部
【図１】
2012114616.tif 000003
【図２】
2012114616.tif 000004
【図３】
2012114616.tif 000005
【図４】
2012114616.tif 000006